(57)【要約】    【構成】携帯通信端末１０は、メール着信音を出力する第２スピーカ１８ｂ、携帯通信端末１０を振動させるモータ３６、メール着信に応じて発光するＬＥＤ４０および通知画像を表示するディスプレイ２６を有する。ＲＡＭ３４には、予め設定された通知時間を示す通知時間データ３３４および通知画像の表示を継続させるための所定時間を示す所定時間データ３３６などが記憶される。プロセッサ２０は、着信に応じて通知画像を表示させ、通知時間が所定時間以上である場合に、通知画像が表示されてから所定時間が経過すると、ディスプレイ２６を休止状態にする。    【効果】着信が通知されてから所定時間が経過すれば、ディスプレイ２６が休止状態にされるため、携帯通信端末１０が使用される状態に応じて、消費電力が抑えられる。【選択図】図１
2011066754.tif 000002
【特許請求の範囲】
【請求項１】
着信を通知する通知手段および前記着信に対応する通知画像を表示する表示手段を有する、携帯通信端末であって、
前記通知手段による通知を継続させるように設定された第１時間と前記通知画像の表示を継続させるための所定の第２時間との時間情報を記憶する記憶手段、
前記通知手段による通知に応じて、前記表示手段に前記通知画像を表示させる通知画像表示手段、および
前記第１時間が前記第２時間以上である場合、前記通知画像が表示されてから前記第２時間が経過したとき、前記表示手段を休止状態にする第１休止手段を備える、携帯通信端末。
【請求項２】
前記第１時間が前記第２時間未満である場合、前記通知画像が表示されてから前記第１時間が経過したとき、前記表示手段を休止状態にする第２休止手段をさらに備える、請求項１記載の携帯通信端末。
【請求項３】
前記通知画像が表示されてから前記第１時間が経過したとき、前記通知手段による通知を終了させる終了手段をさらに備える、請求項１または２記載の携帯通信端末。
【請求項４】
前記着信は、電子メールの着信を含む、請求項１ないし３のいずれかに記載の携帯通信端末。
【請求項５】
前記着信は、テキストメッセージの着信を含む、請求項１ないし４のいずれかに記載の携帯通信端末。
【請求項６】
前記着信は、音声通話の着信を含む、請求項１ないし５のいずれかに記載の携帯通信端末。
【請求項７】
着信を通知する通知手段、前記着信に対応する通知画像を表示する表示手段および前記通知手段による通知を継続させるように設定された第１時間と前記通知画像の表示を継続させるための所定の第２時間との時間情報を記憶する記憶手段を有する、携帯通信端末のプロセッサを、
前記通知手段による通知に応じて、前記表示手段に前記通知画像を表示させる通知画像表示手段、および
前記第１時間が前記第２時間以上である場合、かつ前記通知画像が表示されてから前記第２時間が経過したとき、前記表示手段を休止状態にする休止手段として機能させる、表示制御プログラム。
【請求項８】
着信を通知する通知手段、前記着信に対応する通知画像を表示する表示手段および前記通知手段による通知を継続させるように設定された第１時間と前記通知画像の表示を継続させるための所定の第２時間との時間情報を記憶する記憶手段を有する、携帯通信端末の表示制御方法であって、
前記通知手段による通知に応じて、前記表示手段に前記通知画像を表示させ、そして
前記第１時間が前記第２時間以上である場合、かつ前記通知画像が表示されてから前記第２時間が経過したとき、前記表示手段を休止状態にする、表示制御方法。
【発明の詳細な説明】
【技術分野】
【０００１】
この発明は、携帯通信端末、表示制御プログラムおよび表示制御方法に関し、特にたとえば消費電力を抑えることできる、携帯通信端末、表示制御プログラムおよび表示制御方法に関する。
【背景技術】
【０００２】
従来、特にたとえば消費電力を抑えることができる、携帯電話機が知られており、この種の装置の一例が、特許文献１に開示されている。この背景技術の携帯電話機は、電源、表示部、無線基地局との通信を確立する無線通信処理部、無線通信処理部や表示部に対する電源供給の切替を行うスイッチ部およびユーザインターフェイスとしての入力部などから構成される。そして、入力部に対する入力に応じて音声通話の接続処理が行われ、さらに通話が開始されると、表示部はスイッチ部によって電源が切断される。一方、データ通信の接続処理が開始された場合に、表示部はスイッチ部によって電源が切断されることはない。このように、音声通話のときは表示部の電源が切断されるため、無駄な電力消費が抑えられる。
【０００３】
また、特許文献２にも、消費電力を抑えることができる、携帯電話機の一例が開示されている。特許文献２の携帯電話機は、マイクロコンピュータや通話回路からなる制御部、非音声情報を表示する表示部、および音声情報を入力するマイクなどを具える。制御部は、通信状態において、音声がマイクに入力されると、音声の音圧値またはスペクトル特性に基づいて、音声通話中であるか否かを判断する。そして、音声通話中であると判断された場合に、表示部の発光を停止させる。つまり、通話中には、表示部の発光に要する電力が消費されないため、消費電力を少なくすることができる。
【特許文献１】特開２００１−１０３１５３号公報［H04M 1/73, H04B 7/26, H04Q 7/38, H04M 1/02］
【特許文献２】特開２００２−５７７９１号公報［H04M 1/73, H04B 7/26, H04Q 7/38, H04M 1/00］
【発明の概要】
【発明が解決しようとする課題】
【０００４】
ところが、特許文献１の携帯電話機では、通話を着信したときには、表示部には何も表示されず、使用者は発信元の情報を知ることができない。さらに、データ通信における電子メールなどが着信した場合には、表示部の電源が切断されず、表示部が余計な電力を消費する。
【０００５】
また、特許文献２の携帯電話機は、通信中における音声に基づいて、消費電力を節約するものであり、非音声のデータの送受信については記載されていない。そのため、音声や、電子メールの着信における、消費電力の節約については、何ら開示されていない。
【０００６】
それゆえに、この発明の主たる目的は、新規な、携帯通信端末、表示制御プログラムおよび表示制御方法を提供することである。
【０００７】
この発明の他の目的は、携帯通信端末が使用される状態に応じて、消費電力を抑えることができる、携帯通信端末、表示制御プログラムおよび表示制御方法を提供することである。
【課題を解決するための手段】
【０００８】
この発明は、上記の課題を解決するために、以下の構成を採用した。なお、括弧内の参照符号および補足説明等は、この発明の理解を助けるために記述する実施形態との対応関係を示したものであって、この発明を何ら限定するものではない。
【０００９】
第１の発明は、着信を通知する通知手段および着信に対応する通知画像を表示する表示手段を有する、携帯通信端末であって、通知手段による通知を継続させるように設定された第１時間と通知画像の表示を継続させるための所定の第２時間との時間情報を記憶する記憶手段、通知手段による通知に応じて、表示手段に通知画像を表示させる通知画像表示手段、および第１時間が第２時間以上である場合、通知画像が表示されてから第２時間が経過したとき、表示手段を休止状態にする第１休止手段を備える、携帯通信端末である。
【００１０】
第１の発明では、通知手段（１８ｂ，３６，４４）は、着信音を出力するスピーカ、携帯通信端末（１０）を振動させるモータおよび発光したり点滅したりするＬＥＤなどによって、着信を通知する。表示手段（２６）は、たとえば相手の情報を含む着信画像を表示する。記憶手段（３０）は、着信したときに、着信音などを出力させ続けるように設定される第１時間（通知時間）および通知画像を表示手段に表示させ続けるための第２時間（所定時間）を示す時間情報（３３４，３３６）を記憶する。通知画像表示手段（２０，Ｓ７）は、通知手段による着信の通知に応じて、通知画像を通知手段に表示させる。使用者によって設定された第１時間が所定の第２時間以上である場合、第１休止手段（２０，Ｓ１３）は、通知画像が表示されてから第２時間が経過したときに、表示手段の電源をオフにしたりすることで休止状態にする。
【００１１】
第１の発明によれば、着信が通知されてから、携帯通信端末が使用者に所持されていないと判断可能な時間が経過すれば、表示手段を休止状態にするので、消費電力を抑えることができる。
【００１２】
第２の発明は、第１の発明に従属し、第１時間が第２時間未満である場合、通知画像が表示されてから第１時間が経過したとき、表示手段を休止状態にする第２休止手段をさらに備える。
【００１３】
第２の発明では、第２休止手段（２０，Ｓ２１）は、第１時間が第２時間未満である場合、通知画像が表示されてから第１時間が経過したときに、表示手段を休止状態にする。
【００１４】
第２の発明によれば、表示手段は短く設定された時間に合わせて休止状態にされるため、消費電力をより抑えることができる。
【００１５】
第３の発明は、第１の発明または第２の発明に従属し、通知画像が表示されてから第１時間が経過したとき、通知手段による通知を終了させる終了手段をさらに備える。
【００１６】
第３の発明では、終了手段（２０，Ｓ１７，Ｓ２３）は、通知画像が表示されてから第１時間が経過したとき、着信の通知を終了させる。
【００１７】
第３の発明によれば、表示手段が休止状態にされても、着信の通知は継続して行われる。
【００１８】
第４の発明は、第１の発明ないし第３の発明のいずれかに従属し、着信は、電子メールの着信を含む。
【００１９】
第４の発明では、電子メールは、ネットワーク（１００）に接続されたサーバを経由して送受信される。
【００２０】
第５の発明は、第１の発明ないし第４の発明のいずれかに従属し、着信は、テキストメッセージの着信を含む。
【００２１】
第５の発明では、テキストメッセージは、SMS(Short Message Service)によって送受信される。
【００２２】
第６の発明は、第１の発明ないし第５の発明のいずれかに従属し、着信は、音声通話の着信を含む。
【００２３】
第６の発明では、発呼信号や、発呼元情報を受信することで、音声通話の着信が通知される。
【００２４】
第４の発明および第６の発明によれば、２種類以上の着信に対応する携帯通信端末であれば、より効果的に消費電力を抑えることができる。
【００２５】
第７の発明は、着信を通知する通知手段（１８ｂ，３６，４４）、着信に対応する通知画像を表示する表示手段（２６）および通知手段による通知を継続させるように設定された第１時間と通知画像の表示を継続させるための所定の第２時間との時間情報（３３４，３３６）を記憶する記憶手段（３０）を有する、携帯通信端末（１０）のプロセッサ（２０）を、通知手段による通知に応じて、表示手段に通知画像を表示させる通知画像表示手段（Ｓ７）、および第１時間が第２時間以上である場合、かつ通知画像が表示されてから第２時間が経過したとき、表示手段を休止状態にする休止手段（Ｓ１３）として機能させる、表示制御プログラムである。
【００２６】
第７の発明でも、第１の発明と同様に、着信が通知されてから、携帯通信端末が使用者に所持されていないと判断可能な時間が経過すれば、表示手段を休止状態にするので、消費電力を抑えることができる。
【００２７】
第８の発明は、着信があるとき、着信を通知する通知手段（１８ｂ，３６，４４）、着信に対応する通知画像を表示する表示手段（２６）および通知手段による通知を継続させるように設定された第１時間と通知画像の表示を継続させるための所定の第２時間との時間情報（３３４，３３６）を記憶する記憶手段（３０）を有する、携帯通信端末（１０）の表示制御方法であって、通知手段による通知に応じて、表示手段に通知画像を表示させ（Ｓ７）、そして第１時間が第２時間以上である場合、かつ通知画像が表示されてから第２時間が経過したとき、表示手段を休止状態にする（Ｓ１３）、表示制御方法である。
【００２８】
第８の発明でも、第１の発明と同様に、着信が通知されてから、携帯通信端末が使用者に所持されていないと判断可能な時間が経過すれば、表示手段を休止状態にするので、消費電力を抑えることができる。
【発明の効果】
【００２９】
この発明によれば、着信が通知されてから、携帯通信端末が使用者に所持されていないと判断可能な所定時間が経過すれば、表示手段が休止状態にされるため、携帯通信端末が使用される状態に応じて、消費電力を抑えることができる。
【００３０】
この発明の上述の目的、その他の目的、特徴および利点は、図面を参照して行う以下の実施例の詳細な説明から一層明らかとなろう。
【図面の簡単な説明】
【００３１】
【図１】図１はこの発明の一実施例の携帯通信端末の電気的な構成を示すブロック図である。
【図２】図２は図１に示す携帯通信端末の外観の一例を示す図解図である。
【図３】図３は図１に示すディスプレイの表示例を示す図解図である。
【図４】図４は図１に示すディスプレイの表示遷移の一例を示す図解図である。
【図５】図５は図１に示すＲＡＭのメモリマップの一例を示す図解図である。
【図６】図６は図１に示すプロセッサのメール着信制御処理を示すフロー図である。
【発明を実施するための形態】
【００３２】
図１を参照して、携帯通信端末１０は、CPUまたはコンピュータと呼ばれる、プロセッサ２０などを含む。プロセッサ２０は、CDMAに対応する無線通信回路１４を制御して発呼信号を出力する。出力された発呼信号は、アンテナ１２から送出され、基地局を含む移動通信網に送信される。通話相手が応答操作を行うと、通話可能状態が確立される。
【００３３】
通話可能状態に移行した後にキー入力装置２２によって通話終了操作が行われると、プロセッサ２０は、無線通信回路１４を制御して、通話相手に通話終了信号を送信する。そして、通話終了信号の送信後、プロセッサ２０は、通話処理を終了する。また、先に通話相手から通話終了信号を受信した場合も、プロセッサ２０は、通話処理を終了する。さらに、通話相手によらず、移動通信網から通話終了信号を受信した場合も、プロセッサ２０は通話処理を終了する。
【００３４】
携帯通信端末１０が起動している状態で通話相手からの発呼信号がアンテナ１２によって捉えられると、無線通信回路１４は、着呼（音声通話の着信と言うこともある。）をプロセッサ２０に通知する。プロセッサ２０は、第２スピーカ１８ｂから音声通話着信音を出力させ、さらにモータ３６を駆動（回転）させることで携帯通信端末１０を振動させて、発呼信号を受信している状態（音声通話着信状態）であることを使用者に通知する。そして、プロセッサ２０は、表示ドライバ２４を制御することで、発呼信号と共に通話相手から送信される発呼元情報をディスプレイ２６に表示させる。
【００３５】
なお、プロセッサ２０は音声通話着信状態を使用者に通知するために、ＬＥＤ制御回路４２を制御することでＬＥＤ４４を発光させることもある。
【００３６】
通話可能状態では、次のような処理が実行される。通話相手から送られてきた変調音声信号（高周波信号）は、アンテナ１２によって受信される。受信された変調音声信号は、無線通信回路１４によって復調処理および復号処理が施される。そして、得られた受話音声信号は、第１スピーカ１８ａから出力される。一方、マイク１６によって取り込まれた送話音声信号は、無線通信回路１４によって符号化処理および変調処理が施される。そして、生成された変調音声信号は、上述と同様、アンテナ１２を利用して通話相手に送信される。
【００３７】
また、プロセッサ２０は、ディスプレイ２６の輝度レベルを均一に保つために、ＢＬ（Back Light）制御回路２８に制御信号を出力し、バックライト３０を発光させる。また、バックライト３０は、ディスプレイ２６に含まれる表示パネルに対してエッジライト方式に基づいて設置される。なお、バックライト３０の光源としては、ＬＥＤが採用されるが、冷陰極管などが採用されてもよい。
【００３８】
また、携帯通信端末１０は、二次電池であるリチウムイオン電池４８の電圧に基づく電源をシステム全体に供給する電源回路４６を含む。たとえば、電源回路４６は、ディスプレイ２６に電源を供給する表示ドライバ２６およびバックライト３０に電源を供給するＢＬ制御回路２８のそれぞれに、リチウムイオン電池４８の電圧に基づく電源を供給する。また、プロセッサ２０は、電源回路４６を制御することで、ディスプレイ２６とバックライト３０との電源を、それぞれ個別にオン／オフすることが可能である。
【００３９】
また、電源回路４６がリチウムイオン電池４８の電圧に基づく電源をシステム全体に供給している場合には、電源オン状態と言うことにする。同様に、電源回路４６がリチウムイオン電池４８の電圧に基づく電源をシステム全体に供給していない場合には、電源オフ状態と言うことにする。電源回路４６は、電源オフ状態で、キー入力装置２２によって電源オン操作がされると起動され、電源オフ状態で、キー入力装置２２による電源オフ操作がされると停止される。さらに、電源オフ状態であっても、電源回路４６は、リチウムイオン電池４８の充電を検出すると起動し、リチウムイオン電池４８の充電が完了するのに応答して停止する。また、リチウムイオン電池４８が充電されている状態を充電状態と言う。
【００４０】
また、携帯通信端末１０は、日本国内における送受信では受信料金が発生しないSMSに対応する。そのため、携帯通信端末１０は、他の携帯通信端末や、携帯電話機（PHSを含む）との間でテキストメッセージを送受信できる。たとえば、SMSでは、相手の端末に対応する電話番号を宛先とすることで、テキストメッセージを送信する。そして、相手の電話番号は、使用者によって直接入力されてもよいし、名前、電話番号およびＥメールアドレスなどが対応付けられて構成されるアドレスデータを利用して指定されてもよい。
【００４１】
さらに、携帯通信端末１０は、ネットワーク１００を利用する、データ通信機能および電子メール機能を有する。たとえば、使用者は、図示しないデータサーバとのデータ通信によってHPを閲覧したり、図示しない電子メールサーバとのデータ通信を行い、電子メールの送受信を行ったりする。また、電子メールにおけるメールアドレスは、SMSと同様に、アドレスデータに基づいて指定されてもよい。なお、データサーバおよび電子メールサーバなどは有線または無線でネットワーク１００と接続される。
【００４２】
そして、プロセッサ２０は、携帯通信端末１０の状態に応じて、ＬＥＤ制御回路４２に制御信号を出力することで、ＬＥＤ４４を発光させたり、点滅させたりする。また、ＬＥＤ４４は、フルカラー発光が可能であり、緑色、赤色、青色および橙色など様々な色で発光できる。たとえば、プロセッサ２０は、音声着信状態ではＬＥＤ４４を緑色に発光させ、電源回路４６によって充電が検出されるとＬＥＤ４４を赤色に発光させ、電子メールの着信状態（メール着信状態）ではＬＥＤ４４を青色に発光させる。
【００４３】
なお、発呼信号および発呼元情報を受信するアンテナ１２は受信手段として機能する。また、データ通信中における、アンテナ１２および無線通信回路１４はデータ通信手段として機能する。さらに、第１スピーカ１８ａおよび第２スピーカ１８ｂは音声出力装置と呼ばれることもあり、ディスプレイ２６は表示手段または表示装置と呼ばれることもある。
【００４４】
図２（Ａ）は、スライド型の携帯通信端末１０の閉状態の外観を示す図解図であり、図２（Ｂ）は、スライド型の携帯通信端末１０の開状態の外観を示す図解図である。図２（Ａ），（Ｂ）を参照して、携帯通信端末１０は、各々が平面矩形の第１筐体Ｃ１および第２筐体Ｃ２を有し、第１筐体Ｃ１および第２筐体Ｃ２の厚みは略同じである。
【００４５】
第１筐体Ｃ１は第２筐体Ｃ２の上に積層された状態で、図示しないスライド機構によって連結される。したがって、図２（Ｂ）に示すように、第１筐体Ｃ１は第２筐体Ｃ２の長さ方向にスライド可能である。
【００４６】
図示しないマイク１６は、第２筐体Ｃ２に内蔵され、内蔵されたマイク１６に通じる開口ＯＰ２は第２筐体Ｃ２の長さ方向一方の上面に設けられる。同じく、図示しない第１スピーカ１８ａは、第１筐体Ｃ１に内蔵され、内蔵された第１スピーカ１８ａに通じる開口ＯＰ１は、第１筐体Ｃ１の長さ方向一方の上面に設けられる。
【００４７】
キー入力装置２２は、複数のキーを含む第１キー群２２ａと第２キー群２２ｂとを含む。第１キー群２２ａは、方向キー、通話キー、終話キー、メニューおよび確定キーから構成されており、第１筐体Ｃ１の上面に設けられる。また、第２キー群２２ｂは、テンキーなどから構成されており、第２筐体Ｃ２の上面に設けられる。また、ディスプレイ２６は、表示パネルが第１筐体Ｃ１の上面に露出するように取り付けられる。そして、バックライト３０は、ディスプレイ２６の表示パネルに合わせて設置される。
【００４８】
たとえば、使用者は、ディスプレイ２６を確認しながら、テンキーを操作して電話番号を入力し、通話キーによって発呼操作を行い、終話キーによって通話終了操作を行う。また、使用者は、メニューキーを操作することでメニュー画面を表示し、方向キーなどによって任意のメニューを選択できる。さらに、使用者は、確定キーを操作することで、選択されたメニューを確定できる。そして、使用者は、終話キーを長押しすることで携帯通信端末１０の電源をオン／オフする。
【００４９】
磁気センサ３８は第１筐体Ｃ１の長さ方向他方に内蔵され、磁石４０は、図２（Ａ）に示す閉状態で、磁気センサ３８と最も近い状態となるように、第２筐体Ｃ２の長さ方向一方に内蔵される。そして、携帯通信端末１０の開閉状態を検出する磁気センサ３８は、図２（Ａ）に示す状態では最大値を出力し、図２（Ｂ）に示す状態では最小値を出力する。
【００５０】
なお、磁気センサ３８および磁石４０は検出手段と呼ばれることもある。また、検出手段として、磁気センサ３８および磁石４０を用いた場合に限定されるものではなく、その他にも、たとえば、開閉の状態に応じて筐体の一方に設けられた押下部が、他方の筐体に設けられた筐体の被押下部を機械的に押下することにより、この押下状態による通電状態の変化などを検出して開閉を検出する機構であってもよい。
【００５１】
また、第１筐体Ｃ１の長さ方向一方の上面には、ＬＥＤ４４に通じる窓Ｗが設けられ、この窓Ｗ１には、可視光を透過するプラスチックがはめ込まれている。これにより、使用者は、第１筐体Ｃ１の上面を視認することで、ＬＥＤ４４の状態を確認できる。
【００５２】
なお、アンテナ１２、無線通信回路１４、プロセッサ２０、表示ドライバ２４、フラッシュメモリ３２、ＲＡＭ３４、モータ３６、ＬＥＤ制御回路４２、電源回路４６およびリチウムイオン電池４８は、第１筐体Ｃ１または第２筐体Ｃ２に内蔵されており、図２（Ａ），（Ｂ）では、図示されない。また、図示は省略するが、第２筐体Ｃ２の裏面には、第２スピーカ１８ｂに通じる開口ＯＰ３がさらに設けられる。
【００５３】
図３は、待機状態におけるディスプレイ２６の表示を示す図解図である。図３を参照して、ディスプレイ２６によって表示される画面は、状態表示領域６０および機能表示領域６２から構成される。状態表示領域６０には、アンテナ１２による電波受信状態およびリチウムイオン電池４８の残電池容量を示すアイコン（ピクトと言うこともある。）と、現在日時とが表示される。また、機能表示領域６２には、携帯通信端末１０で実行される機能に応じて様々な画像が表示され、たとえば、図３では待機状態を示す画像が表示される。なお、状態表示領域６０に表示される現在日時は、プロセッサ２０に内蔵される、図示しないRTCから取得される。
【００５４】
図４（Ａ）−（Ｃ）は、電子メールを受信したときに、ディスプレイ２６の表示が遷移する様子を示す図解図である。図４（Ａ）を参照して、電子メールサーバから新たに受信可能なメール（新着メール）の受信を終えると、状態表示領域６０には、新着メールが未読あることを示すメールアイコン６４が表示され、機能表示領域６２には新着メールを受信したことを示す通知画像が表示される。図４（Ａ）における通知画像には、相手の名前、新着メールに設定された題名（タイトル）および相手に対応する画像が含まれる。
【００５５】
また、通知画像において、新着メールに設定された題名は、電子メールのヘッダ部に基づいて表示される。さらに、相手の名前および相手に対応する画像は、相手のメールアドレスを含むアドレスデータに基づいて表示される。なお、相手のメールアドレスは電子メールのヘッダ部から読み出され、アドレスデータは読み出されたメールアドレスに基づいて検索される。
【００５６】
なお、通知画像が表示されている状態では、プロセッサ２０は、新着メールの通知処理を実行することで、第２スピーカ１８ｂから着信音を出力させ、モータ３６によって振動させ、ＬＥＤ４４を発光させる。
【００５７】
図４（Ｂ）に示されるように、通知画像が表示されてから、設定された通知時間（第１時間）が経過すると、ディスプレイ２６は休止状態にされる。休止状態では、ディスプレイ２６の電源がオフにされ、バックライト３０の電源もオフにされる。つまり、ディスプレイ２６には何も表示されていない状態となる。なお、プロセッサ２０は、ディスプレイ２６を休止状態にするのに併せて、新着メールの通知処理も終了する。
【００５８】
そして、ディスプレイ２６が休止状態にされた後に、携帯通信端末１０に対して操作が加えられると、ディスプレイ２６およびバックライト３０が電源オンされ、新着メールを受信したことを示すポップアップが機能表示領域６２に表示される。たとえば、図４（Ｃ）に示されるように、機能表示領域６２には、待機状態を示す画像が表示され、さらにポップアップ６６も表示される。ポップアップ６６には「電子メール  １件」の文字列が含まれており、使用者はポップアップ６６に含まれる文字列を読むことで、新着メールが受信された状態を認識できる。
【００５９】
なお、携帯通信端末１０に対する操作とは、キー入力装置２２に対するキー操作や、携帯通信端末１０をスライドさせる操作のことである。また、図４（Ａ）に示す状態で、携帯通信端末１０に対する操作がされると、ディスプレイ２６の表示は、図４（Ｃ）に示す状態に遷移する。
【００６０】
ここで、本実施例では、携帯通信端末１０が使用者に所持されていないと判断可能な場合に、ディスプレイ２６を休止状態にすることで、消費電力を抑える。具体的には、まず、所持されていないと判断されるまで通知画像を表示させ続けるために、所定時間（第２時間）を予め決めておく。そして、通知時間が所定時間以上である場合、通知画像が表示されてから所定時間が経過すると、プロセッサ２０はディスプレイ２６を休止状態にする。たとえば、通知時間が１６秒、所定時間が１０秒であれば、図４（Ａ）に示す通知画像がディスプレイ２６に表示されてから１０秒経過すると、ディスプレイ２６は、図４（Ｂ）に示す休止状態にされる。
【００６１】
なお、ディスプレイ２６が休止状態にされても、第２スピーカ１８ｂ、モータ３６およびＬＥＤ４４による新着メールの通知処理は継続される。そして、通知画像がディスプレイ２６に表示されてから１６秒経過すると、通知処理が終了される。つまり、ディスプレイ２６が休止状態にされても、メール着信の通知は継続される。
【００６２】
一方、通知時間が所定時間未満であれば、通知画像がディスプレイ２６に表示されてから通知時間が経過すると、ディスプレイ２６は休止状態にされる。つまり、ディスプレイ２６は、短く設定された時間で休止状態にされるため、消費電力がより抑えられる。
【００６３】
このように、メール着信があると、ディスプレイ２６には携帯通信端末１０の状態およびメールの送信相手などの情報が表示され、携帯通信端末１０が使用者に所持されていないと判断できる時間が経過すると、ディスプレイ２６が休止状態にされるため、余計な電力消費が抑えられる。
【００６４】
たとえば、携帯通信端末１０が鞄の中に入れられた状態、つまり使用者が携帯通信端末１０を所持していない状態では、使用者は新着メールの受信をすぐに確認することは困難である。このような状態で、通知時間が所定時間よりも長く設定され、電子メールを頻繁に受信すると、ディスプレイ２６およびバックライト３０は頻繁に電源がオンにされ、電力が無駄に消費される。ところが、本願発明では、ディスプレイ２６およびバックライト３０は所定時間経過すると電源がオフにされるため、電力が無駄に消費されなくなる。
【００６５】
なお、休止状態では、ディスプレイ２６の電源がオフにされず、バックライト３０の電源のみがオフにされてもよい。そのため、ディスプレイ２６に表示される通知画像は、保持されたままでもよいし、消去されてもよい。また、通知時間および所定時間のそれぞれは、使用者によって任意に変更されてもよい。
【００６６】
図５は、記憶手段であるＲＡＭ３４のメモリマップ３００を示す図解図である。図５を参照して、ＲＡＭ３４のメモリマップには、プログラム記憶領域３０２およびデータ記憶領域３０４が含まれる。プログラムおよびデータの一部は、フラッシュメモリ３２から一度に全部または必要に応じて部分的にかつ順次的に読み出され、ＲＡＭ３４に記憶されてからプロセッサ２０によって処理される。
【００６７】
プログラム記憶領域３０２には、携帯通信端末１０を動作させるためのプログラムが記憶される。携帯通信端末１０を動作させるためのプログラムは、メール着信制御プログラム３１０などから構成される。メール着信制御プログラム３１０は、新着メールの受信に応じて、メール着信の通知や、ディスプレイ２６の表示を制御するためのプログラムである。なお、図示は省略するが、携帯通信端末１０を動作させるためのプログラムは、データ通信を行うためのプログラムや、ＧＵＩの表示を制御するためのプログラムおよび通話状態を確立するためのプログラムなどが含まれる。
【００６８】
データ記憶領域３０４には、新着メールヘッダバッファ３３０などが設けられると共に、メール着信音データ３３２、所定時間データ３３４、通知時間データ３３６、アドレス帳データ３３８画像データ３４０およびＧＵＩデータ３４２などが記憶される。また、データ記憶領域３０４には、キー操作フラグ３４４、開閉フラグ３４６、新着メールフラグ３４８および通知カウンタ３５０なども設けられる。
【００６９】
新着メールヘッダバッファ３３０は、受信された新着メールにおけるヘッダ部に含まれる、送信相手のメールアドレスや、題名などが記憶されるバッファである。メール着信音データ３３２は、新着メールが受信されたことを通知するために、第２スピーカ１８ｂから出力されるメール着信音のデータである。なお、メール着信音データ３３２は、音楽データであってもよいし、音声データであってもよい。所定時間データ３３４は、通知画像の表示を継続させるための所定時間を示すデータである。通知時間データ３３６は、メール着信音が出力され続けるように設定された通知時間を示すデータである。なお、所定時間データ３３４および通知時間データ３３６はまとめて時間情報と呼ばれることもある。
【００７０】
アドレス帳データ３３８は、名前に電話番号およびＥメールアドレスなどが対応付けられた複数の個人アドレスデータによって構成されるデータである。なお、アドレス帳データ３３８は、「名前」、「電話番号」および「Ｅメールアドレス」などの列から構成されるテーブルデータである。画像データ３４０は、データ通信機能によってサーバから取得された画像や、通知画像に含まれる相手に対応する画像などのデータである。ＧＵＩデータ３４２は、ディスプレイ２６に表示されるＧＵＩのデータであり、たとえば図３に示すアイコンの画像データや、図４（Ｃ）に示すポップアップの画像データや、文字列データなどから構成される。
【００７１】
キー操作フラグ３４４は、キー入力装置２２に含まれるいずれかのキーに対して、操作が行われたか否かを判断するためのフラグである。たとえば、キー操作フラグ３４４は１ビットのレジスタで構成される。キー操作フラグ３４４がオン（成立）されると、レジスタにはデータ値「１」が設定される。一方、キー操作フラグ３４４がオフ（不成立）されると、レジスタにはデータ値「０」が設定される。
【００７２】
開閉フラグ３４６は、携帯通信端末１０の開状態および閉状態を判断するためのフラグである。そして、開閉フラグ３４６は、磁気センサ３２が出力する値によってオン／オフが切り替えられる。新着メールフラグ３４８は、新着メールを受信したか否かを判断するためのフラグである。また、図４（Ｃ）に示すメールアイコン６４およびポップアップ６６は、新着メールフラグ３４８がオンである場合に、表示される。通知カウンタ３５０は、通知画像がディスプレイ２６に表示されてからの時間をカウントするためのカウンタである。
【００７３】
なお、開閉フラグ３４６、新着メールフラグ３４８の構成は、キー操作フラグ３４４と同じであるため、詳細な説明は省略する。また、図示は省略するが、データ記憶領域３０４には、音声着信用の着信音データなどが記憶されると共に、携帯通信端末１０の動作に必要なカウンタや、フラグも設けられる。
【００７４】
プロセッサ２０は、「Linux（登録商標）」および「REX」などのRTOS(Real-time Operating System)の制御下で、図６に示すメール着信制御処理などを含む、複数のタスクを並列的に処理する。
【００７５】
図６は、メール着信制御処理のフロー図である。たとえば、携帯通信端末１０の電源がオンにされると、プロセッサ２０は、ステップＳ１でメールを受信したか否かを判断する。つまり、電子メールサーバから新着メールを受信したか否かを判断する。ステップＳ１で“ＮＯ”であれば、つまり新着メールを受信していなければ、ステップＳ１の処理を繰り返し実行する。一方、ステップＳ１で“ＹＥＳ”であれば、つまり新着メールの受信が完了していれば、ステップＳ３で新着メールフラグ３４８をオンにする。
【００７６】
続いて、ステップＳ５では、新着メールの通知処理を実行する。たとえば、新着メールの通知処理が実行されると、プロセッサ２０は、第２スピーカ１８ｂからメール着信音を出力させ、モータ３６を駆動させることで携帯通信端末１０を振動させ、ＬＥＤ４４を青色に発光させる。
【００７７】
続いて、ステップＳ７では、ディスプレイ２６に通知画像を表示させる。つまり、新着メールヘッダバッファ３３０から、新着メールの題名を読み出してディスプレイ２６に表示させる。また、新着メールヘッダバッファ３３０から読み出した送信元のメールアドレスを、アドレス帳データ３３８から検索して、送信元の名前および画像をディスプレイ２６に表示させる。なお、ディスプレイ２６に通知画像が表示されると、通知カウンタ３５０によって時間が計測される。また、ステップＳ７の処理を実行するプロセッサ２０は通知画像表示手段として機能する。
【００７８】
続いて、ステップＳ９では、通知時間が所定時間以上であるか否かを判断する。つまり、所定時間データ３３４および通知時間データ３３６に基づいて、所定時間と通知時間とを比較する。ステップＳ９で“ＮＯ”であれば、つまり通知時間が所定時間未満であれば、ステップＳ１９に進む。一方、ステップＳ９で“ＹＥＳ”であれば、つまり通知時間が所定時間以上であれば、ステップＳ１１で所定時間が経過したか否かを判断する。つまり、通知カウンタ３５０によってカウントされた時間が、所定時間データ３３４によって示される時間以上であるか否かを判断する。ステップＳ１１で“ＮＯ”であれば、つまり所定時間が経過していなければ、ステップＳ１１の処理を繰り返し実行する。
【００７９】
また、ステップＳ１１で“ＹＥＳ”であれば、つまり通知画像が表示されてから所定時間が経過すれば、ディスプレイ２６を休止状態にする。たとえば、プロセッサ２０は、電源回路４６を制御してディスプレイ２６およびバックライト３０の電源をそれぞれオフにする。続いて、ステップＳ１５では、通知時間が経過したか否かを判断する。つまり、通知カウンタ３５０によってカウントされた時間が通知時間以上であるか否かを判断する。ステップＳ１５で“ＮＯ”であれば、つまり通知画像が表示されてから通知時間が経過していなければ、ステップＳ１５を繰り返し実行する。なお、ステップＳ１３の処理を実行するプロセッサ２０は第１休止手段として機能する。
【００８０】
また、ステップＳ１５で“ＹＥＳ”であれば、つまり通知画像が表示されてから通知時間が経過すると、ステップＳ１７で通知処理を終了して、ステップＳ１に戻る。つまり、ステップＳ１７では、ステップＳ５で実行された通知処理を終了させる。
【００８１】
ここで、通知時間が所定時間未満であれば、プロセッサ２０は、ステップＳ１９で通知時間が経過したか否かを判断する。つまり、ステップＳ１５と同様に、通知画像が表示されてから通知時間が経過したか否かを判断する。ステップＳ１９で“ＮＯ”であれば、つまり通知時間が経過しなければ、ステップＳ１９の処理を繰り返し実行する。一方、ステップＳ１９で“ＹＥＳ”であれば、つまり通知時間が経過すると、ステップＳ２１でディスプレイ２６を休止状態にし、ステップＳ２３で通知処理を終了した後に、ステップＳ１に戻る。
【００８２】
このように、通知時間が所定時間よりも短ければ、通知画像が表示されてから使用者によって設定された通知時間が経過すると、ディスプレイ２６に表示される画像が消去され、第２スピーカ１８ｂから出力される着信音も停止される。なお、ステップＳ２１の処理を実行するプロセッサ２０は第２休止手段として機能する。また、ステップＳ１７またはステップＳ２３の処理を実行するプロセッサ２０は終了手段として機能する。
【００８３】
また、他の実施例では、メール着信の代わりに、SMSによるテキストメッセージの着信であってもよい。この場合、通知時間データ３３４が、テキストメッセージ着信における通知時間を示す。そして、メール着信制御処理において、ステップＳ１ではメールの代わりにテキストメッセージを受信したか否かを判断し、ステップＳ７ではテキストメッセージの着信に対応する通知画像がディスプレイ２６に表示される。そして、テキストメッセージの着信に対応する通知画像が表示されてから所定時間が経過すると、ステップＳ１３では、ディスプレイ２６が休止状態にされる。
【００８４】
さらに、その他の実施例では、メール着信の代わりに、音声通話の着信であってもよい。この場合、通知時間データ３４４は、留守番応答処理が実行されるまでの時間を示す。また、メール着信制御処理におけるステップＳ１では、発呼信号を受信したか否かを判断し、ステップＳ７では、発呼元情報に対応する通知画像をディスプレイ２６に表示させる。そして、ステップＳ９では、留守番応答処理が実行されるまでの時間が所定時間以上であれば、留守番応答処理が実行される前にディスプレイ２６が休止状態にされる。なお、留守番応答処理が実行されないように設定されている場合には、通知時間に関係なく、所定時間が経過すればディスプレイ２６は休止状態にされる。
【００８５】
そして、さらに他の実施例では、メール着信の代わりに、サーバから配信されるデータの着信であってもよい。たとえば、サーバから配信されるデータとは、天気やニュースである。そして、通知時間データ３４４は、データの着信における通知時間を示し、通知画像には、受信したデータのヘッダ情報などが含まれる。そして、データの着信があり、通知画像が表示されてから所定時間が経過すると、ディスプレイ２６が休止状態にされる。
【００８６】
なお、本実施例と複数の他の実施例とは任意に組み合わせることが可能であり、具体的な組み合わせについては容易に想像できるので、詳細な説明は省略する。
【００８７】
このように、本実施例のメール着信制御処理は、メール着信だけに限られず、音声や、データなどの着信にも適応することができる。そのため、２種類以上の着信に対応する携帯通信端末１０であれば、より効果的に消費電力が抑えられる。
【００８８】
以上の説明から分かるように、携帯通信端末１０は、メール着信音を出力する第２スピーカ１８ｂ、携帯通信端末１０を振動させるモータ３６、メール着信に応じて発光するＬＥＤ４０および通知画像を表示するディスプレイ２６を有する。
【００８９】
ＲＡＭ３４には、予め設定された通知時間を示す通知時間データ３３４および通知画像の表示を継続させるための所定時間を示す所定時間データ３３６などが記憶される。プロセッサ２０は、着信に応じて通知画像を表示させ、通知時間が所定時間以上である場合に、通知画像が表示されてから所定時間が経過すると、ディスプレイ２６を休止状態にする。
【００９０】
このように、着信が通知されてから所定時間が経過すれば、ディスプレイ２６が休止状態にされるため、携帯通信端末１０が使用される状態に応じて、消費電力が抑えられる。
【００９１】
なお、メール着信音データ３３２が複数のデータから構成される場合に、アドレスデータ毎に異なるメール着信音データが対応付けられてもよい。これにより、電子メールの送信元に応じて、第２スピーカ１８ｂから出力されるメール着信音が変化するように設定されてもよい。そして、新着メールの送信元に応じて着信音が変化するように設定される場合に、通知時間もそれぞれ個別に設定されてもよい。
【００９２】
また、携帯通信端末１０の形状は、スライド式だけに限らず、ストレート型などであってもよい。また、携帯通信端末１０の形状は、常にディスプレイ２６が露出する形状である方が好ましいが、閉状態でディスプレイが隠れる折り畳み型の携帯通信端末１０に、本実施例が適用されてもよい。
【００９３】
また、携帯通信端末１０の通信方式には、CDMA方式に限らず、W-CDMA方式、GSM方式、TDMA方式、FDMA方式およびPHS方式などを採用してもよい。さらに、ディスプレイ２６にはLCDモニタが利用されるが、有機ELパネルなどの他の表示装置が利用されてもよい。また、有機ELパネルが採用される場合には、バックライト３０は不要であるため、休止状態では、有機ELパネルの電源だけがオフにされるたり、表示が消去されたりする。
【００９４】
そして、本願発明は、携帯通信端末１０のみに限らず、PDA(Personal Digital Assistant)およびノート型ＰＣ（ネットブックなども含む）などの電子機器などに適用されてもよい。
【符号の説明】
【００９５】
１０    …  携帯電話機
１８ａ    …  第１スピーカ
１８ｂ    …  第２スピーカ
２０    …  プロセッサ
２２    …  キー入力装置
２４    …  表示ドライバ
２６    …  ディスプレイ
２８    …  ＢＬ制御回路
３０    …  バックライト
３４    …  ＲＡＭ
３６    …  モータ
３８    …  磁気センサ
４０    …  磁石
４４    …  ＬＥＤ
４６    …  電源回路
４８    …  リチウムイオン電池
１００    …  ネットワーク
【図１】
2011066754.tif 000003
【図２】
2011066754.tif 000004
【図３】
2011066754.tif 000005
【図４】
2011066754.tif 000006
【図５】
2011066754.tif 000007
【図６】
2011066754.tif 000008